(57)【要約】【課題】回転体の回転を安定させ、遊技球の入賞率を安定させること。【解決手段】遊技盤１の遊技領域５に配設され、受入口６１から受け入れた遊技球を、遊技者に不利なルート又は有利なルートに分別する遊技装置７，８，９を備える遊技機において、遊技装置７，８，９は、受入口６１から受け入れた遊技球を収容して回転する回転体３２と、収容した遊技球を回転体３２の回転の過程にて不利なルートへ誘導可能な第１球収容部３３ａと、収容した遊技球を回転体３２の回転の過程にて有利なルートへ誘導可能な第２球収容部３３ｂ，３３ｃと、回転体３２に嵌合し、回転体３２に対する相対回転を防止するための回り止め部７５が形成された回転軸７６と、回転体３２から突出した回り止め部７５を覆うと共に、回転体３２と一体に回転する被覆部材７７とを備え、被覆部材７７は、外周が円形状に形成され、遊技装置に設けられた軸受穴６２に対して回転摺動自在である。【選択図】図８
2008161477.tif 000002
【特許請求の範囲】
【請求項１】
遊技盤の遊技領域に配設され、受入口から受け入れた遊技球を、遊技者に不利なルート又は遊技者に有利なルートに分別する遊技装置を備える遊技機において、
前記遊技装置は、
前記受入口から受け入れた遊技球を収容して回転する回転体と、
前記回転体の外周面に形成され、収容した遊技球を前記回転体の回転の過程にて前記遊技者に不利なルートへ誘導可能な第１球収容部と、
前記回転体の外周面に形成され、収容した遊技球を前記回転体の回転の過程にて前記遊技者に有利なルートへ誘導可能な第２球収容部と、
前記回転体に嵌合し、当該回転体に対する相対回転を防止するための回り止め部が形成された回転軸と、
前記回転体から突出した前記回転軸の回り止め部を覆うと共に、前記回転体と一体に回転する被覆部材と、を備え、
当該被覆部材は、外周が円形状に形成され、前記遊技装置に設けられた軸受穴に対して回転摺動自在であることを特徴とする遊技機。
【請求項２】
前記遊技装置は、
前記回転軸の先端に穿設された締結穴に螺合する締結部と、平板状の頭部と、を有する締結部材をさらに備え、
前記被覆部材は、
前記回転体から突出した前記回転軸の回り止め部が遊嵌状態で挿入される胴部と、
当該胴部に一体に形成され胴部に挿入された前記回り止め部の端面を覆う覆部と、
前記胴部に形成され前記回転体に形成された被嵌合部に遊嵌状態で嵌合する嵌合部と、を有し、
前記覆部は、
前記締結部材の締結部が挿通可能で前記回転軸の締結穴に連通する貫通孔と、
前記締結部材の頭部が当接し締結部材の締結力が作用する受圧部と、を有し、
前記被覆部材の嵌合部を前記回転体の被嵌合部に嵌合させた状態で、前記締結部材の締結部を前記回転軸の締結穴に螺合させると共に、前記頭部を前記被覆部材の前記受圧部に当接させ当該被覆部材を前記回転体に対して押圧することによって、前記回転体に対する前記被覆部材の相対回転を防止することを特徴とする請求項１に記載の遊技機。
【請求項３】
前記締結部材の前記頭部と前記被覆部材の前記受圧部とは、非平滑状態で接触してなることを特徴とする請求項２に記載の遊技機。
【請求項４】
前記締結部材には、前記締結部と前記回転軸の締結穴との締結力の緩みを防止するスプリングワッシャが設けられることを特徴とする請求項２又は請求項３に記載の遊技機。
【発明の詳細な説明】
【技術分野】
【０００１】
本発明は、遊技球を用いる遊技機に関し、特に、受け入れた遊技球を分別する分別部材を有する遊技機に関するものである。
【背景技術】
【０００２】
従来のパチンコ機等の遊技機には、遊技盤のほぼ中央に入賞装置を配設し、その入賞装置が、受け入れた球を特定領域（有利なルート）又は一般領域（不利なルート）に振り分ける振分機構を備えるものがある（例えば、特許文献１参照）。
【特許文献１】特開２００５−１７７１３３号公報
【発明の開示】
【発明が解決しようとする課題】
【０００３】
この種の振分機構において、遊技球を振り分ける回転体と、回り止め用のＤカットが形成され回転体の中心を貫通する回転軸とを備え、回転軸の端部が筐体の軸受穴に挿通する構成のものがある。
【０００４】
この場合、軸受穴は、回転軸のＤカットに形成された端部を支持しているため、Ｄカットのエッジ部が軸受穴に引っかかり、回転軸がスムーズに回転しないことがある。
【０００５】
このような場合には、特定領域と一般領域との振り分け率が計画値と異なってしまい、遊技球の入賞率に悪影響を及ぼしてしまう。
【０００６】
そこで、本発明は、上記の問題点に鑑みてなされたものであり、回転体の回転を安定させ、遊技球の入賞率を安定させることを目的とする。
【課題を解決するための手段】
【０００７】
第１の発明は、遊技盤の遊技領域に配設され、受入口から受け入れた遊技球を、遊技者に不利なルート又は遊技者に有利なルートに分別する遊技装置を備える遊技機において、前記遊技装置は、前記受入口から受け入れた遊技球を収容して回転する回転体と、前記回転体の外周面に形成され、収容した遊技球を前記回転体の回転の過程にて前記遊技者に不利なルートへ誘導可能な第１球収容部と、前記回転体の外周面に形成され、収容した遊技球を前記回転体の回転の過程にて前記遊技者に有利なルートへ誘導可能な第２球収容部と、前記回転体に嵌合し、当該回転体に対する相対回転を防止するための回り止め部が形成された回転軸と、前記回転体から突出した前記回転軸の回り止め部を覆うと共に、前記回転体と一体に回転する被覆部材と、を備え、当該被覆部材は、外周が円形状に形成され、前記遊技装置に設けられた軸受穴に対して回転摺動自在であることを特徴とする。
【０００８】
第２の発明は、前記遊技装置は、前記回転軸の先端に穿設された締結穴に螺合する締結部と、平板状の頭部とを有する締結部材をさらに備え、前記被覆部材は、前記回転体から突出した前記回転軸の回り止め部が遊嵌状態で挿入される胴部と、当該胴部に一体に形成され胴部に挿入された前記回り止め部の端面を覆う覆部と、前記胴部に形成され前記回転体に形成された被嵌合部に遊嵌状態で嵌合する嵌合部とを有し、前記覆部は、前記締結部材の締結部が挿通可能で前記回転軸の締結穴に連通する貫通孔と、前記締結部材の頭部が当接し締結部材の締結力が作用する受圧部とを有し、前記被覆部材の嵌合部を前記回転体の被嵌合部に嵌合させた状態で、前記締結部材の締結部を前記回転軸の締結穴に螺合させると共に、前記頭部を前記被覆部材の前記受圧部に当接させ当該被覆部材を前記回転体に対して押圧することによって、前記回転体に対する前記被覆部材の相対回転を防止することを特徴とする。
【０００９】
第３の発明は、前記締結部材の前記頭部と前記被覆部材の前記受圧部とは、非平滑状態で接触してなることを特徴とする。
【００１０】
第４の発明は、前記締結部材には、前記締結部と前記回転軸の締結穴との締結力の緩みを防止するスプリングワッシャが設けられることを特徴とする。
【発明の効果】
【００１１】
第１の発明によれば、回転軸の回り止め部は被覆部材にて覆われ、その被覆部材の外周が軸受穴に対して摺動自在に回転するため、回転軸は被覆部材を介して軸受穴に支持される。また、被覆部材は回転体と一体に回転し、回転軸が被覆部材に対して相対回転することがないため、回転軸の回り止め部が被覆部材内にてひっかかることもない。したがって、回転軸はスムーズに回転し、回転体は安定して回転する。回転体の回転が安定することによって、遊技球を遊技者に不利なルートと有利なルートとに分別する分別率とその計画値との誤差は小さくなるため、遊技球の入賞率は安定する。
【００１２】
第２の発明によれば、被覆部材の胴部には、回転軸の回り止め部が遊嵌状態で挿入されると共に、被覆部材の嵌合部は、回転体に対して遊嵌状態で嵌合する構成であるため、被覆部材を回転軸及び回転体に対して容易に組み付けることができる。また、被覆部材を組み付けた後、締結部材を用いることによって回転体に対する被覆部材のがたつきを防止することができるため、被覆部材は軸受穴に対してスムーズに回転する。したがって、回転体の回転が安定すると共に、遊技球の入賞率も安定する。このように、第２の発明によれば、被覆部材の組み付け性と回転体の安定とを両立させることができる。
【００１３】
第３の発明によれば、締結部材の頭部と被覆部材の受圧部とは、非平滑状態で接触するため、締結部材を回転軸の締結穴に締結させる際、締結部材の締結力は、締結部材の頭部を介して被覆部材の受圧部に作用し易くなる。したがって、回転体に対する被覆部材のがたつきをより一層防止することができる。
【００１４】
第４の発明によれば、回転体が回転することにより締結部材の締結部と回転軸の締結穴との締結力が緩む方向の力が作用した場合でも、スプリングワッシャの作用によって締結力を保持することができる。
【発明を実施するための最良の形態】
【００１５】
以下、本発明の実施の形態について、図面を参照して説明する。なお、以下の実施の形態における前後左右とは、遊技者から見た、つまり遊技盤に向かって見た方向を指すものとする。
【００１６】
図１は、本発明の実施の形態の遊技機（パチンコ機）の遊技盤１の正面図、図２は遊技盤１の斜視図、図３は遊技盤１の分解斜視図である。
【００１７】
遊技機の遊技盤１は、図１〜図３に示すように、合板やプラスチック等からなる矩形状の遊技盤本体２の表面に、ガイドレール３等を設けることで略円形状の遊技領域５を区画形成している。
【００１８】
遊技機は、遊技者の操作に基づいて発射装置（図示省略）から遊技球を発射させ、遊技領域５内に流下させることによって遊技を行うものである。発射装置によって打ち出された遊技球は、ガイドレール３の左側部に区画され遊技球を案内する発射領域６から遊技領域５に発射される。遊技者は、カバーガラス（図示省略）を通じて遊技領域５を視認することができる。
【００１９】
遊技領域５の両側部のそれぞれには、受け入れた遊技球を遊技盤１裏面の外れ領域１９（図３参照）又は遊技領域５に分別する遊技装置７、８が配設される。遊技領域５の一側部である発射領域６側に配設された遊技装置７は遊技領域５内の上方に配設され、遊技領域５の他側部である発射領域６とは反対側に配設された遊技装置８は遊技領域５内の下方に配設される。以下では、遊技装置７を上方遊技装置７、遊技装置８を下方遊技装置８と記す。
【００２０】
遊技領域５における上方遊技装置７と下方遊技装置８との間には、受け入れた遊技球を遊技盤１裏面の外れ領域１９又は遊技領域５に分別する中央遊技装置９がさらに配設される。具体的には、中央遊技装置９は、上方遊技装置７と下方遊技装置８との上下方向及び左右方向の略中間に配設される。このように、遊技領域５には合計３つの遊技装置（７，８，９）が配設される。そして、これら３つの遊技装置７、８、９は、中央遊技装置９が遊技領域５の略中央に配設されるように位置決めされる。
【００２１】
遊技盤１には、図３に示すように、上方遊技装置７、下方遊技装置８、及び中央遊技装置９の外周に沿った形状の開口１ａが形成されている。それぞれの遊技装置７、８，９は、その開口１ａに遊技盤１の前方から嵌装され、ビス等の締結部材によって遊技盤１に固定される。
【００２２】
遊技領域５における中央遊技装置９の右側には、受け入れた遊技球を遊技盤１裏面の外れ領域１９（図３参照）に導くアウト口１５が配設される。アウト口１５も、図３に示すように、遊技盤１に形成された開口１ｂに遊技盤１の前方から嵌装され、ビス等の締結部材によって遊技盤１に固定される。
【００２３】
遊技領域５の下端中央には、遊技球が入賞した場合に賞球を払い出す入賞口１０が配設される。図４は入賞口１０の斜視図であり、図５は入賞口１０の断面図である。図４及び図５に示すように、入賞口１０は、入賞口本体１１と、入賞口本体１１を遊技盤１に固定するためのフランジ部１２とを備える。
【００２４】
遊技盤１には、図３に示すように、入賞口本体１１の外周に沿った形状の開口１ｃが形成されている。入賞口本体１１を開口１ｃに遊技盤１の前方から嵌装させて、フランジ部１２を遊技盤１の前面に当接させ、ビス等の締結部材をフランジ部１２の締結穴１２ａ及び遊技盤１に形成された締結穴（図示省略）に挿通させることによって、入賞口１０は遊技盤１に固定される。これにより、遊技領域５には、図２に示すように、遊技球を受け入れる受入口１０ａが開口して設けられることになる。受入口１０ａに流入した遊技球は、入賞口本体１１内を後方に向かって転動し、遊技盤１裏面側の入賞領域２０（図３参照）へと導かれる。
【００２５】
入賞口１０には、図４及び図５に示すように、入賞口１０への遊技球の入賞を検知する検知器としてのセンサ１３が取り付けられる。センサ１３における開口部１３ａを遊技球が通過した場合、遊技制御装置（図示省略）にて遊技球の入賞が判定され賞球が払い出される。
【００２６】
遊技領域５には、遊技球を案内する多数の釘が植設される。本実施の形態における釘は、複数の釘が直線状に植設されることによって遊技球を案内する案内流路として機能する。遊技領域５には、多数の釘からなる釘群によって構成される案内流路が複数配設され、この案内流路は、上方遊技装置７、下方遊技装置８、中央遊技装置９、入賞口１０、及びアウト口１５をつなぐように配設される。案内流路の詳しい構成については後述する。
【００２７】
発射装置によって打ち出された遊技球は、遊技領域５の左側に区画された発射領域６から遊技領域５内に発射され、釘群によって構成される案内流路によって案内され、上方遊技装置７、下方遊技装置８、及び中央遊技装置９によって遊技領域５に分別された遊技球は入賞口１０に入賞する。入賞口１０に遊技球が入賞すると、所定数の賞球が払出装置（図示省略）から排出される。入賞口１０に入賞しない遊技球は、上方遊技装置７、下方遊技装置８、中央遊技装置９、又はアウト口１５のいずれかによって遊技盤１裏面の外れ領域１９に案内される。遊技球の詳しい流れについては後述する。
【００２８】
遊技盤１の裏面には、図３に示すように、遊技盤１の裏面を覆う裏面カバー部材１８が取り付けられる。裏面カバー部材１８には隔壁１８ａが設けられ、その隔壁１８ａによって遊技盤１の裏面と裏面カバー部材１８との間には、外れ領域１９と入賞領域２０とが画成される。上方遊技装置７、下方遊技装置８、中央遊技装置９、又はアウト口１５のいずれかによって遊技盤１裏面に導かれた遊技球は、外れ領域１９に案内され、外れ領域１９下部に設けられた外れ樋部１９ａを通って遊技盤１下方の外れ球処理領域（図示省略）へと導かれる。また、入賞口１０に入賞した遊技球は、入賞領域２０に案内され遊技盤１下方の入賞球処理領域（図示省略）へと導かれる。
【００２９】
次に、主に図６〜図１４を参照して、上方遊技装置７、下方遊技装置８、及び中央遊技装置９について説明する。上方遊技装置７、下方遊技装置８、及び中央遊技装置９の構成は、大部分が同じであるため、代表として主に中央遊技装置９について説明する。図６は中央遊技装置９の分解斜視図であり、図７は中央遊技装置９における遊技装置本体２５の背面側斜視図であり、図８は遊技装置本体２５の分解斜視図であり、図９は従動ギア３８の分解斜視図であり、図１０は中央遊技装置９の正面図、図１１及び図１２は中央遊技装置９の断面図であり、図１３及び図１４は中央遊技装置９の部分断面図である。
【００３０】
中央遊技装置９は、図６に示すように、遊技盤１の前面に固定される遊技装置本体２５と、遊技装置本体２５の背面に結合され、後述する回転体３２を駆動するためのモータ４６を有する駆動ユニット２６と、遊技装置本体２５の前面に結合される前面構成部材２７とを備え、これら遊技装置本体２５、駆動ユニット２６、及び前面構成部材２７が一体に結合されたものである。
【００３１】
遊技装置本体２５は、平板状の取付ベース３０を遊技盤１の前面に当接させ、締結部材（図示省略）を取付ベース３０に形成された締結穴３０ａ及び遊技盤１に形成された締結穴（図示省略）に挿通させることによって遊技盤１に固定される。このように、取付ベース３０は、中央遊技装置９を遊技盤１に取り付けるためのものである。
【００３２】
取付ベース３０には、前面に略円形の開口部を有する箱部材３６が後方に突設して設けられる（図６〜図８参照）。箱部材３６によって画成された凹室３１には、遊技球を遊技盤１裏面の外れ領域１９又は遊技領域５に分別する分別部材としての回転体３２が収容される。
【００３３】
取付ベース３０の前面上部には、下面が遊技球の通路の一部を構成する鎧部材３５が配設され、鎧部材３５の前面には扇形の飾り板３５ａが取り付けられる。
【００３４】
円板状の回転体３２には、外周面から中心部に向かって切り欠かれることによって外周面に開口部を有し、遊技球を収容可能な３つの球収容部３３ａ、３３ｂ、３３ｃが、等間隔（１２０度間隔）で形成される。球収容部３３ａ、３３ｂ、３３ｃの内周の形状は、後に説明するように、それぞれ異なった形状に形成され、その内周の形状によって遊技球は、外れ領域１９又は遊技領域５に分別される。具体的には、球収容部３３ａ、３３ｂ、３３ｃのうち、球収容部３３ａは、収容した遊技球を回転体３２の回転の過程にて外れ領域１９へ誘導可能（遊技者に不利なルート）であり、他の球収容部３３ｂ、３３ｃは、収容した遊技球を回転体３２の回転の過程にて遊技領域５に誘導可能（遊技者に有利なルート）に構成される。なお、以下では、球収容部３３ａ、３３ｂ、３３ｃを総称する場合、球収容部３３と記す。
【００３５】
回転体３２は、箱部材３６の後面３６ａに形成された貫通孔３６ｂを挿通する回転軸３７の一端に連結され、回転軸３７の他端には従動ギア３８が連結される（図７及び図８参照）。したがって、回転体３２は、従動ギア３８の回転によって回転軸３７を中心に回転する。なお、本実施の形態では、回転体３２は、遊技盤２に向かって反時計回りに回転する。
【００３６】
箱部材３６の後面３６ａにおける貫通孔３６ｂの上方には、図８に示すように、開口部３６ｃが形成される。また、箱部材３６の背面には、図７に示すように、外れ領域に連通する開口部３９ａを有し、遊技球を外れ領域１９に案内する外れ球案内流路３９が配設される。これにより、回転体３２における球収容部３３ａ内に流入した遊技球は、開口部３６ｃ及び外れ球案内流路３９を通過して外れ領域１９に誘導されることになる。
【００３７】
取付ベース３０の背面上部には、図７に示すように、後方に突設する基台４０を介して光電センサ４１が配設される。光電センサ４１は、コの字形状に形成され、一方の凸部が発光部であり、他方の凸部が受光部である。
【００３８】
駆動ユニット２６における本体４５の背面には、図６に示すように、回転体３２を駆動するための駆動手段としてのモータ４６が固定される。モータ４６の出力軸４６ａは本体４５を挿通し、出力軸の端部には主動ギア４７が連結される（図１１及び図１２参照）。主動ギア４７は、モータ４６の回転に伴ってモータ４６の出力軸４６ａを中心に回転する。
【００３９】
取付ベース３０の背面には、図７に示すように、後方に突設する３つの棒状部材４８が取り付けられ、その棒状部材４８の先端を駆動ユニット２６の本体４５の外縁に配設された締結部４９に当接させ、ビス等の締結部材（図示省略）を用いて棒状部材４８を締結部４９に締結することによって、遊技装置本体２５と駆動ユニット２６とが結合される。
【００４０】
遊技装置本体２５と駆動ユニット２６とを結合することによって、遊技装置本体２５の従動ギア３８と駆動ユニット２６の主動ギア４７は、互いに双方の歯が噛み合う。したがって、モータ４６の回転は、主動ギア４７、従動ギア３８を介して回転体３２に伝達される。
【００４１】
主動ギア４７の前面には、図６に示すように、回転中心が主動ギア４７と同一であり、光電センサ４１における発射光を遮蔽するための環状の遮蔽リング４２が取り付けられる。遮蔽リング４２には、光電センサ４１の発光部から発射された発射光を受光部に透過させるための切欠部４２ａが形成される。
【００４２】
光電センサ４１と遮蔽リング４２は、図１１及び図１２に示すように、遊技装置本体２５と駆動ユニット２６とが結合された状態にて、光電センサ４１の発光部と受光部とで遮蔽リング４２の周壁を挟むようにして配置される。したがって、主動ギア４７の回転に伴って遮蔽リング４２が回転した場合、主動ギア４７が１回転する所定のタイミング、つまり発光部から発射された発射光が切欠部４２ａを透過するタイミングで光電センサ４１は遊技制御装置に対して信号を出力する。これにより、所定のタイミングにてモータ４６を停止させ所望の位置で回転体３２の回転を止めることが可能となるため、モータ４６停止時の回転体３２の回転停止位置、及びモータ４６の停止時間を設定することによって、遊技球が回転体３２の各球収容部３３のいずれかに入賞する入賞確率を調整することができる。
【００４３】
前面構成部材２７は、図６に示すように、後面５５と、その後面５５から前方に延設された周壁５６とからなる箱状の部材である。前面構成部材２７の背面には、後方に突設する２つの棒状部材５７が取り付けられ、その棒状部材５７を遊技装置本体２５の凹室３１内に挿入し、ビス等の締結部材（図示省略）を用いて箱部材３６の締結部５８（図７参照）に締結することによって、遊技装置本体２５と前面構成部材２７とが結合される。
【００４４】
遊技装置本体２５と前面構成部材２７とが結合された状態では、前面構成部材２７は、後面５５が遊技装置本体２５の凹室３１の開口部を塞ぐように配設される。しかし、前面構成部材２７は、透明な合成樹脂によって構成されるため、遊技装置本体２５と前面構成部材２７とが結合された状態でも、遊技者は、遊技装置本体２５の回転体３２を視認可能であり、遊技球が回転体３２の球収容部３３ａ、３３ｂ、３３ｃのいずれに流入したかを確認することができる。
【００４５】
遊技装置本体２５と前面構成部材２７とを結合した状態で、遊技装置本体２５の取付ベース３０を遊技盤１に固定すると、図２に示すように、遊技装置本体２５の鎧部材３５と前面構成部材２７の周壁５６とが遊技盤１の前面から突設した状態となる。そして、鎧部材３５の下面、周壁５６の上壁５６ａ、及び飾り板３５ａの背面にて、遊技領域５に開口し受け入れた遊技球を内部に誘導する受入流路６０が画成される（図１０〜図１２参照）。受入流路６０における遊技領域５に対する開口部は、遊技領域５を流下する遊技球を受け入れるための受入口６１（図１、図２、及び図１０参照）である。中央遊技装置９の場合、遊技球は遊技盤１に向かって左側から内部へと流入するため、受入流路６０の左側の開口部が受入口６１となる。
【００４６】
上壁５６ａの中央部には、後方に向かって下り傾斜し遊技球を後方の回転体３２へと誘導する誘導部６３が形成される。また、鎧部材３５の前面を構成する飾り板３５ａの下端面後部は、面取り（図７，図１１，図１２の符合３５ｂ）される。したがって、受入口６１から受入流路６０に流入した遊技球は、誘導部６３と飾り板３５ａの面取り３５ｂとによって後方の遊技装置本体２５へと誘導され、凹室３１内に収容された回転体３２の球収容部３３ａ、３３ｂ、３３ｃのいずれかに流入する。
【００４７】
誘導部６３から回転体３２へと流下する遊技球は、その流下のタイミングで真上に開口している球収容部３３、つまり、誘導部６３に開口部が臨む球収容部３３内へと収容される。なお、回転体３２は反時計方向に回転するため、球収容部３３は、球収容部３３ａ、３３ｂ、３３ｃの順番で誘導部６３に臨むことになる。
【００４８】
前面構成部材２７の周壁５６の下部には、内側に向かって屈曲して形成された２つの屈曲壁５６ｂ、５６ｃが形成される。屈曲壁５６ｂ、５６ｃにて画成された領域は、回転体３２の球収容部３３ｂ又は３３ｃのいずれかによって分別された遊技球を、遊技領域５内に排出する第１排出流路６４ａ、第２排出流路６４ｂである。第１排出流路６４ａは、図１０に示すように、左斜め下方に向かって開口し、第２排出流路６４ｂはほぼ真下に向かって開口している。なお、中央遊技装置９は、入賞口１０の直上に配設されているため、第１排出流路６４ａから排出される遊技球は、入賞口１０より左側に向けて排出されることになる。
【００４９】
屈曲壁５６ｂ、５６ｃの断面形状は、回転体３２の球収容部３３の形状と略同一であるため、回転体３２の回転中、球収容部３３は、第１排出流路６４ａ及び第２排出流路６４ｂと連通する。その連通の際、遊技球は回転体３２の球収容部３３から第１排出流路６４ａ又は第２排出流路６４ｂへと案内され、遊技領域５へと排出される。
【００５０】
遊技装置本体２５、駆動ユニット２６、及び前面構成部材２７が一体に結合された状態では、図６に示すように、回転体３２の回転軸３７の一端側（従動ギア３８側）は、駆動ユニット２６における本体４５の前面に配設された軸受穴５２にて支持されると共に、回転軸３７の他端側（回転体３２側）は、前面構成部材２７の後面５５に配設された軸受穴６２にて支持される。
【００５１】
前述したように、回転体３２の球収容部３３に流入した遊技球は、球収容部３３ａ、３３ｂ、３３ｃのそれぞれの形状によって、外れ領域１９又は遊技領域５に分別される。以下では、主に図１１〜図１４を参照して、球収容部３３の形状及び回転体３２による遊技球の分別について説明する。
【００５２】
図１１及び図１２は、図１０におけるＡ−Ａ断面を示す断面図であり、図１１は遊技球を外れ領域１９に誘導する球収容部３３ａの開口部が誘導部６３に臨んだ状態（図６に示す回転体３２の位置）を示し、また、図１２は遊技球を遊技領域５に誘導する球収容部３３ｂ又は球収容部３３ｃが誘導部６３に臨んだ状態を示すものである。
【００５３】
また、図１３及び図１４は、図１０におけるＢ−Ｂ断面を示す断面図であり、図１３は遊技球を遊技領域５に誘導する回転体３２の球収容部３３ｂ又は３３ｃのうち球収容部３３ｂが第１排出流路６４ａに連通している状態を示し、また、図１４は球収容部３３ｃが第１排出流路６４ａに連通している状態を示すものである。
【００５４】
球収容部３３ａの底部６６は、図１１に示すように、後方に向かって下り傾斜して形成される。したがって、受入口６１から受入流路６０に流入し、誘導部６３から球収容部３３ａ内に流入した遊技球は、底部６６上を後方へと転動し箱部材３６の開口部３６ｃ及び外れ球案内流路３９を通過して外れ領域１９に案内される。
【００５５】
また、球収容部３３ｂ、３３ｃの底部６６は、図１２に示すように、前方に向かって下り傾斜して形成され、かつ底部６６の後部には上方に向かって立設した突起部６７が形成される。この突起部６７によって開口部３６ｃの開口直径は、遊技球の直径未満となり、遊技球は通過不可能となる。したがって、受入口６１から受入流路６０に流入し、誘導部６３から球収容部３３ｂ又は３３ｃ内に流入した遊技球は、外れ領域１９に誘導されることはなく底部６６の前方傾斜によって前面構成部材２７の後面５５に当接して前方への転動が規制されつつ、回転体３２の回転に伴って反時計方向へと運ばれる。
【００５６】
次に、遊技球が球収容部３３ｂに収容され、回転体３２の回転によって反時計方向へと運ばれる場合について説明する。球収容部３３ｂの開口部が真上を向いている状態から回転体３２が反時計方向に回転すると、球収容部３３ｂ内の遊技球は、球収容部３３ｂ内周との接触位置を底部６６から側壁６８ａ（図８参照）へと次第に変化させる。そして、球収容部３３ｂが第１排出流路６４ａに連通するタイミング（図１３に示す状態）、つまり、遊技盤２に向かって球収容部３３ｂの開口部が左斜め下方を向いた場合には、球収容部３３ｂ内の遊技球は、球収容部３３ｂ内の側壁６８ａ上に位置する。
【００５７】
ここで、球収容部３３ｂの側壁６８ａの形状は、図１３に示すように、球収容部３３ｂが第１排出流路６４ａに連通した状態で、前方に傾斜した形状に形成される。また、球収容部３３ｂが第１排出流路６４ａに連通した場合、その連通によって球収容部３３ｂ内の遊技球の前方への転動の規制は解除される。したがって、球収容部３３ｂが第１排出流路６４ａに連通したタイミングで、球収容部３３ｂ内の遊技球は、側壁６８ａ上を前方へと転動し第１排出流路６４ａから遊技領域５へと排出される。
【００５８】
次に、遊技球が球収容部３３ｃに収容され、回転体３２の回転によって反時計方向へと運ばれる場合について説明する。球収容部３３ｃの側壁６８ａの形状は、図１４に示すように、球収容部３３ｃが第１排出流路６４ａに連通した状態で、後方に傾斜した形状に形成される。したがって、球収容部３３ｃに収容された遊技球が、回転体３２の回転によって反時計方向へと運ばれる過程で、球収容部３３ｃが第１排出流路６４ａに連通した場合でも、球収容部３３ｃ内の遊技球は第１排出流路６４ａ（前方）に向かって転動することはなく、球収容部３３ｃ内に収容された状態を保つ。
【００５９】
回転体３２がさらに回転し球収容部３３ｃの開口部が真下を向いた状態では、球収容部３３ｃに収容された遊技球は、箱部材３６の内周壁上に落ちる。その後は、回転体３２の回転に伴って、遊技球は側壁６８ａに対向する側壁６８ｂ（図８参照）及び箱部材３６の内周壁に接触して運ばれることになる。
【００６０】
ここで、箱部材３６の内周壁における第２排出流路６４ｂに対応する位置には、図６に示すように、前方に下り傾斜した斜面７０が形成される。また、球収容部３３ｃの開口部が斜面７０に対向した状態で、球収容部３３ｃにおける側壁６８ｂ（遊技球が接触している側壁）は、後方に向かって傾斜していない。さらに、球収容部３３ｃが第２排出流路６４ｂに連通した場合、その連通によって球収容部３３ｃ内の遊技球の前方への転動の規制は解除される。したがって、球収容部３３ｃが第２排出流路６４ｂに連通したタイミングで、球収容部３３ｃ内の遊技球は、斜面７０上を前方へと転動し第２排出流路６４ｂから遊技領域５へと排出される。
【００６１】
以上のように、受入口６１から中央遊技装置９内に流入し、受入流路６０の誘導部６３から回転体３２へと流下する遊技球は、その流下のタイミングで開口部が真上を向いている球収容部３３ａ、３３ｂ、３３ｃのいずれかに流入する。そして、球収容部３３ａに流入した遊技球は外れ領域１９に誘導され、球収容部３３ｂに流入した遊技球は第１排出流路６４ａから遊技領域５の左側に向けて排出され、球収容部３３ｃに流入した遊技球は第２排出流路６４ｂから遊技領域５の右側に向けて排出される。このように、遊技球は、球収容部３３の形状によって分別され、回転体３２の球収容部３３に流入した時点で、分別先が決定されている。
【００６２】
以上では、中央遊技装置９について説明した。中央遊技装置９と、他の上方遊技装置７、下方遊技装置８との違いは、中央遊技装置９では受け入れた遊技球を遊技領域５に排出する排出流路が２つ（第１排出流路６４ａ、第２排出流路６４ｂ）であるのに対して、上方遊技装置７、下方遊技装置８では排出流路が１つである点、及び回転体３２の球収容部３３の組み合わせが異なる点である。
【００６３】
具体的には、上方遊技装置７における排出流路は、図１に示すように、第２排出流路６４ｂの１つであり、受け入れた遊技球を遊技領域５の右側に向けてのみ排出する。また、回転体３２の球収容部３３の組み合わせは、中央遊技装置９と同様に球収容部３３ａ、３３ｂ、３３ｃを各１個設ける組み合わせの他に、球収容部３３ｂ、３３ｃのいずれか一方を球収容部３３ａに置き換え、外れ領域１９用の球収容部３３ａを２つ設ける組み合わせにしてもよく、また、球収容部３３ｂ、３３ｃのいずれか２個と球収容部３３ａとの組み合わせにしてもよい。
【００６４】
下方遊技装置８における排出流路は、図１に示すように、第１排出流路６４ａの１つであり、受け入れた遊技球を遊技領域５の左側に向けてのみ排出する。また、回転体３２の球収容部３３の組み合わせは、下方遊技装置８の場合、球収容部３３ａ、３３ｂ、３３ｃを各１個設ける組み合わせでは、球収容部３３ｃに収容された遊技球は遊技領域５に排出不能となる。したがって、回転体３２の球収容部３３の組み合わせは、球収容部３３ａ、３３ｂを各１個と、球収容部３３ａ、３３ｂのいずれか１個との組み合わせにする必要がある。
【００６５】
次に、主に図８及び図９を参照して、回転体３２の回転軸３７の両端部を支持する軸受構造について説明する。
【００６６】
前述したように、回転軸３７の一端側（従動ギア３８側）は駆動ユニット２６の軸受穴５２にて支持され、他端側（回転体３２側）は前面構成部材２７の軸受穴６２にて支持される。図８は回転体３２側の軸受構造の分解図であり、図９は従動ギア３８側の軸受構造の分解図である。回転軸３７両端部の軸受構造は同一構造であるため、以下では、一方の回転体３２側の軸受構造についてのみ説明する。なお、双方の軸受構造において同一の部材、部品には同一の符号を付す。
【００６７】
回転軸３７の端部には、回転体３２に対する相対回転を防止するための回り止め部７５が形成される。回り止め部７５は、回転軸３７の端面を軸方向から見た場合に、端面の形状が略Ｄ字状となるように回転軸３７の外周面の一部を平坦状に切り欠いて形成されたカット部７５ａを有する。
【００６８】
回転体３２の中心には、回転軸３７の回り止め部７５の外周形状と略同一形状の貫通孔７６が形成され、その貫通孔７６に回転軸３７の回り止め部７５がぴったりと、つまり隙間がない状態で嵌合する。これにより、回転軸３７と回転体３２とは相対回転することはなく、回転軸３７の回転は、ロス無く回転体３２に伝達される。
【００６９】
回転軸３７の回転体３２側の軸受構造は、回転体３２から突出した回転軸３７の回り止め部７５を覆うと共に、回転体３２と一体に回転する被覆部材７７と、回転体３２に対する被覆部材７７のがたつきを防止するための締結部材としてのネジ７８とを備える。
【００７０】
ネジ７８は、回転軸３７の先端に穿設された締結穴３７ａに螺合する締結部７８ａと、ドライバ等の工具を係合させる溝が形成された平板状の頭部７８ｂとを備える。締結穴３７ａ内周には雌ねじが形成され、締結部７８ａの外周には雄ねじが形成されている。
【００７１】
被覆部材７７は、回転体３２の前面に当接すると共に、回転体３２の前面から突出した回り止め部７５が挿入される開口部７９ａを有する胴部７９と、胴部７９と一体に形成され胴部７９に挿入された回り止め部７５の端面７５ｂを覆う覆部８０とを備える。
【００７２】
胴部７９における回転体３２に当接する端面７９ｂには、図９に示すように、端面７９ｂから隆起し回転体３２に形成された被嵌合部８１に嵌合する嵌合部８４が形成される。
【００７３】
被覆部材７７の組み付け性を考慮し、回り止め部７５は遊嵌状態で胴部７９の開口部７９ａに挿入されると共に、嵌合部８４も遊嵌状態で被嵌合部８１に嵌合する。つまり、回り止め部７５と開口部７９ａの隙間、及び嵌合部８４と被嵌合部８１の隙間は、大きく設定されている。
【００７４】
覆部８０は、ネジ７８の締結部７８ａが挿通可能で回転軸３７の締結穴３７ａに連通する貫通孔８０ａと、ネジ７８の頭部７８ｂが当接しネジ７８の締結力が作用する受圧部８０ｂとを有する。覆部８０は、外周が円形状に形成され、前面構成部材２７の軸受穴６２に挿入され、その軸受穴６２に対して回転摺動自在である。
【００７５】
次に、回転軸３７の回転体３２側の軸受構造の組み立て方法について説明する。
【００７６】
まず、回転体３２の貫通孔７６に回転軸３７の回り止め部７５を嵌合させ、回転体３２の前面から回り止め部７５が突出した状態とする。
【００７７】
次に、被覆部材７７を、回転体３２から突出した回り止め部７５を覆うようにして回転体３２に組み付ける。具体的には、胴部７９の開口部７９ａに回転体３２から突出した回り止め部７５を挿入すると共に、嵌合部８４を回転体３２の被嵌合部８１に嵌合することによって組み付ける。この状態では、嵌合部８４と被嵌合部８１の隙間が大きいため、回転体３２に対する被覆部材７７の遊びが大きい。したがって、回転体３２が回転した場合、それに伴って被覆部材７７も回転するが、回転中、覆部８０の外周が前面構成部材２７の軸受穴６２の内周に接触し回転体３２の回転に悪影響を及ぼす。そこで、回転体３２に対する被覆部材７７のがたつきを防止するためにネジ７８を用いる。
【００７８】
被覆部材７７を回転体３２に組み付けた状態では、回転軸３７の締結穴３７ａと覆部８０の貫通孔８０ａとは連通している。したがって、ネジ７８の締結部７８ａを貫通孔８０ａに挿通させると、締結部７８ａは回転軸３７の締結穴３７ａに螺合する。
【００７９】
ネジ７８をねじ込んでいくと、ネジ７８の頭部７８ｂが覆部８０の受圧部８０ｂに当接し、
被覆部材７７はネジ７８の推進力（締結力）を受けて回転体３２に対して押圧される。これにより、胴部７９の端面７９ｂが回転体３２の前面に圧着するため、回転体３２に対する被覆部材７７のがたつきが防止される。
【００８０】
最後に、前面構成部材２７と遊技装置本体２５とを結合することによって、被覆部材７７の覆部８０が前面構成部材２７の軸受穴６２に挿入され、軸受構造が組み立てられる。
【００８１】
次に、回転体３２に対する被覆部材７７のがたつきをより確実に防止するためのネジ７８の構成について説明する。
【００８２】
まず、ネジ７８の頭部７８ｂと被覆部材７７の受圧部８０ｂとを、非平滑状態で接触するように構成することが望ましい。具体的には、例えば、ネジ７８の頭部７８ｂにおける受圧部８０ｂに接触する面に、図９に示すように、表面が網目状に形成されたロレット７８ｃを複数設ける。このように構成すれば、ネジ７８をねじ込む際、ネジ７８の頭部７８ｂと被覆部材７７の受圧部８０ｂとの間の摩擦力が大きくなるため、ネジ７８の推進力が被覆部材７７の受圧部８０ｂに作用し易くなり、被覆部材７７と回転体３２とを確実に一体化させることができる。
【００８３】
また、ネジ７８に、締結部７８ａと回転軸３７の締結穴３７ａとの締結力の緩みを防止するスプリングワッシャを設けるのが望ましい。具体的には、例えば、ネジ７８の頭部７８ｂと受圧部８０ｂとの間に、図８、図１１、及び図１２に示すように、スプリングワッシャ８２と平ワッシャ８３とを介装する。このように構成すれば、回転体３２が回転することによりネジ７８の締結部７８ａと回転軸３７の締結穴３７ａとの締結力が緩む方向の力が作用した場合でも、スプリングワッシャ８２は、ネジ７８の締結部７８ａが締結穴３７ａに対して逆回転することを防止するように作用するため、ネジ７８の締結力は保持される。
【００８４】
なお、以上では、被覆部材７７の組み付け性を考慮し、回り止め部７５は遊嵌状態で胴部７９の開口部７９ａに挿入されると共に、嵌合部８４も遊嵌状態で被嵌合部８１に嵌合する構成とした。しかし、回り止め部７５と開口部７９ａ、及び嵌合部８４と被嵌合部８１をぴったりと嵌合するように構成することも当然可能である。その場合には、被覆部材７７が回転体３２に対してがたつくことがないため、ネジ７８は不用となり部材点数を少なくすることができる。
【００８５】
次に、回転軸３７の軸受構造の作用効果について説明する。
【００８６】
モータ４６が駆動すると、モータ４６の回転は、主動ギア４７、従動ギア３８を介して回転軸３７に伝達され、回り止め部７５を介して回転軸３７に結合されている回転体３２が回転する。
【００８７】
回転体３２から突出した回転軸３７の回り止め部７５は被覆部材７７にて覆われ、その被覆部材７７の覆部８０は前面構成部材２７の軸受穴６２に対して摺動自在に回転する。このように、回転軸３７は、カット部７５ａが形成された回り止め部７５が軸受に支持されるのではなく、軸受穴６２に対して回転摺動自在な被覆部材７７を介して軸受穴６２に支持される。
【００８８】
また、被覆部材７７は回転体３２と一体に回転し、回転軸３７が被覆部材７７に対して相対回転することがないため、回り止め部７５のカット部７５ａが被覆部材７７の胴部７９の開口部７９ａ内にてひっかかることもない。
【００８９】
したがって、回転軸３７はスムーズに回転し、回転体３２は安定して回転する。回転体３２の回転が安定することによって、遊技球を外れ領域１９と遊技領域５とに分別する分別率とその計画値との誤差は小さくなるため、遊技球の入賞率は安定する。
【００９０】
また、ネジ７８によって回転体３２に対する被覆部材７７のがたつきは防止されるため、回転中、覆部８０の外周が前面構成部材２７の軸受穴６２の内周に接触し、回転体３２の回転に悪影響を及ぼすようなことは生じない。したがって、回転体３２の回転を安定した状態に保つことができる。
【００９１】
以下では、主に図１を参照して、以上にて説明した遊技機における遊技球の流れについて説明する。なお、図１において、上方遊技装置７、下方遊技装置８における中央遊技装置９と同一の部材、部品には同一の符号を付している。
【００９２】
まず、遊技盤１に配設され遊技球を案内する案内流路の配置について説明する。以下に示す全ての流路は、多数の釘を一列に並べた釘群によって構成される。
【００９３】
発射装置から発射され、発射領域６を経て遊技領域５内の上方に飛入する遊技球を上方遊技装置７の受入口６１に案内するために、遊技領域５の上部には、左側に向かって下り傾斜した発射球案内流路８５が配設される。
【００９４】
発射球案内流路８５の下流端には、隣合う釘の間隔が遊技球の直径以上に設定された開口が形成される。その開口の下方には、開口を通過する遊技球をアウト口１５へと案内するために右側に向かって下り傾斜したアウト口案内流路８６が配設される。このように、発射球案内流路８５の下流端の開口は、遊技球をアウト口１５へと案内する連通口８７であり、発射球案内流路８５の下流端には、遊技球を上方遊技装置７又はアウト口１５へ案内する分岐部が設けられることになる。
【００９５】
上方遊技装置７と中央遊技装置９との間には、上方遊技装置７の第２排出流路６４ｂから排出された遊技球を中央遊技装置９の受入口６１に案内する右側に向かって下り傾斜した第１案内流路８８が配設される。
【００９６】
中央遊技装置９と下方遊技装置８との間には、中央遊技装置９の第２排出流路６４ｂから排出された遊技球を下方遊技装置８の受入口６１に案内する右側に向かって下り傾斜した第２案内流路８９が配設される。
【００９７】
下方遊技装置８と入賞口１０との間には、下方遊技装置８の第１排出流路６４ａから排出された遊技球を入賞口１０に案内する左側に向かって下り傾斜した第３案内流路９０が配設される。
【００９８】
また、中央遊技装置９の下方には、中央遊技装置９の第１排出流路６４ａから排出された遊技球を、下方遊技装置８をバイパスして入賞口１０に案内する右側に向かって下り傾斜したバイパス流路９１が配設される。
【００９９】
次に、遊技領域５内における遊技球の流れについて説明する。
【０１００】
発射装置から発射された遊技球は、発射領域６を経て遊技領域５内の上方に飛入し、発射球案内流路８５に流下し、発射球案内流路８５上を転動する。
【０１０１】
発射球案内流路８５上を転動する遊技球のうち、勢いよく転動する遊技球は上方遊技装置７の受入口６１に流入する一方、勢いのない遊技球は発射球案内流路８５下流端の連通口８７からアウト口案内流路８６に流下し、アウト口１５へ流入する。
【０１０２】
上方遊技装置７の受入口６１に流入した遊技球は、回転体３２によって外れ球案内流路３９（図７参照）又は第２排出流路６４ｂに分別される。外れ球案内流路３９に分別された遊技球は、遊技盤１裏面の外れ領域１９に案内され、第２排出流路６４ｂに分別された遊技球は、遊技領域５に排出される。そして、遊技領域５に排出された遊技球は、第１案内流路８８上を転動し中央遊技装置９の受入口６１に流入する。
【０１０３】
中央遊技装置９の受入口６１に流入した遊技球は、回転体３２によって外れ球案内流路３９、第１排出流路６４ａ、又は第２排出流路６４ｂに分別される。外れ球案内流路３９に分別された遊技球は、遊技盤１裏面の外れ領域１９に案内される。第１排出流路６４ａに分別された遊技球は、遊技領域５に入賞口１０より左側に向けて排出されバイパス流路９１に流下し、第２排出流路６４ｂに分別された遊技球は、遊技領域５に下方に向けて排出され第２案内流路８９に流下する。
【０１０４】
第１排出流路６４ａからバイパス流路９１に流下した遊技球は、バイパス流路９１上を右側に向かって転動し、下方遊技装置８をバイパスして第３案内流路９０に流下し、第３案内流路９０上を左側に向かって転動して入賞口１０へと入賞する。
【０１０５】
また、第２案内流路８９に流下した遊技球は、第２案内流路８９上を転動し、下方遊技装置８の受入口６１に流入する。下方遊技装置８の受入口６１に流入した遊技球は、回転体３２によって外れ球案内流路３９、又は第１排出流路６４ａに分別される。外れ球案内流路３９に分別された遊技球は、遊技盤１裏面の外れ領域１９に案内され、第１排出流路６４ａに分別された遊技球は、遊技領域５に排出される。そして、遊技領域５に排出された遊技球は、第３案内流路９０上を転動して入賞口１０へと入賞する。
【０１０６】
以上のように、発射装置から発射され遊技領域５に飛入した遊技球は、上方遊技装置７、中央遊技装置９、及び下方遊技装置８にて外れ領域１９又は遊技領域５に分別され、３つ全ての遊技装置にて遊技領域５に分別された遊技球のみが入賞口１０へと入賞する。
【０１０７】
本実施の形態の遊技機によれば、遊技領域５に分別された遊技球は、遊技領域５中を左右方向に移動しながら流下するため、遊技球の滞留時間は十分に長いものとなり、遊技の興趣を向上させることができる。
【０１０８】
また、中央遊技装置９に流入した遊技球のうち回転体３２によって第１排出流路６４ａに分別された遊技球は、下方遊技装置８をバイパスして入賞口１０に入賞する。このように、中央遊技装置９に流入し遊技領域５に排出される遊技球には２つの経路があり、遊技の興趣をより向上させることができる。
【０１０９】
また、中央遊技装置９に流入した遊技球のうち回転体３２によって第１排出流路６４ａに分別された遊技球は、バイパス流路９１から第３案内流路９０を経由して入賞口１０に入賞するため、中央遊技装置９の第１排出流路６４ａ及び第２排出流路６４ｂから排出される全ての遊技球は、第３案内流路９０を経由して入賞口１０に入賞することになる。つまり、遊技球は入賞口１０の片側（図１中右側）からのみ入賞する。遊技球が入賞口１０の両側から入賞する場合、入賞口１０の入口にて球詰まりが発生し易いが、バイパス流路９１に案内される遊技球を、第３案内流路９０を経由させることによって球詰まりの発生を防止することができる。
【０１１０】
また、中央遊技装置９の第１排出流路６４ａから排出される遊技球は、最初入賞口１０より左側に向けて排出されるが、バイパス流路９１で転動方向を変え、さらに第３案内流路９０でも転動方向を変え入賞口１０に入賞する。このように、中央遊技装置９の第１排出流路６４ａから排出された遊技球も、遊技領域５中を左右方向に移動しながら流下するため、遊技球の滞留時間は十分に長いものとなる。
【０１１１】
さらに、発射領域６から遊技領域５に飛入する全ての遊技球を上方遊技装置７にて受け入れると上方遊技装置７内にて球詰まりを起こす虞があるが、発射球案内流路８５の下流端に遊技球をアウト口１５に導く分岐部を設けたため、上方遊技装置７内における球詰まりの発生を防止することができる。
【０１１２】
なお、本実施の形態では、遊技盤１の遊技領域５に上方遊技装置７、下方遊技装置８、及び中央遊技装置９の３つの遊技装置を配設する構成にした。しかし、中央遊技装置９を設けず、遊技盤１の遊技領域５の両側部に上方遊技装置７、下方遊技装置８のみを配設する構成にしてもよい。このように構成しても、遊技球は、遊技領域５中を左右方向に移動しながら流下するため、遊技球の滞留時間は十分に長いものとなり、遊技の興趣を向上させることができる。つまり、本実施の形態の遊技機は、遊技盤１の遊技領域５の少なくとも両側部に遊技装置を設ける構成であればよい。
【０１１３】
また、本実施の形態では、入賞口１０を一般入賞口として説明したが、入賞口１０を始動口として構成してもよい。この場合、遊技盤本体２の下部に変動表示装置（図示省略）を配置し、始動口への遊技球の入賞があると、変動表示装置では、数字等で構成される識別情報が順に変動表示する変動表示ゲームが開始され、変動表示ゲームに関する画像が表示される。そして、始動口への入賞が所定のタイミングでなされたときには大当たり状態となる。このとき、例えば、球収容部３３ｂ又は球収容部３３ｃの開口部が誘導部６３に臨む位置にて回転体３２が停止する（遊技者に有利な状態）ようにモータ４６の動作が制御される。
【０１１４】
本発明は上記の実施の形態に限定されずに、その技術的な思想の範囲内において種々の変更がなしうることは明白である。
【産業上の利用可能性】
【０１１５】
本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【図面の簡単な説明】
【０１１６】
【図１】本発明の実施の形態の遊技機の正面図である。
【図２】本発明の実施の形態の遊技機の斜視図である。
【図３】本発明の実施の形態の遊技機の分解斜視図である。
【図４】入賞口の斜視図である。
【図５】入賞口の断面図である。
【図６】中央遊技装置の分解斜視図である。
【図７】中央遊技装置における遊技装置本体の背面側斜視図である。
【図８】遊技装置本体の分解斜視図である。
【図９】従動ギアの分解斜視図である。
【図１０】中央遊技装置の正面図である。
【図１１】中央遊技装置の断面図（図１０のＡ−Ａ断面図）である。
【図１２】中央遊技装置の断面図（図１０のＡ−Ａ断面図）である。
【図１３】中央遊技装置の部分断面図（図１０のＢ−Ｂ断面図）である。
【図１４】中央遊技装置の部分断面図（図１０のＢ−Ｂ断面図）である。
【符号の説明】
【０１１７】
１      遊技盤
３      ガイドレール
５      遊技領域
６      発射領域
７      上方遊技装置
８      下方遊技装置
９      中央遊技装置
１０    入賞口
１３    センサ
１５    アウト口
１８    裏面カバー部材
１９    外れ領域
２５    遊技装置本体
２６    駆動ユニット
２７    前面構成部材
３０    取付ベース
３１    凹室
３６    箱部材
３２    回転体
３３，３３ａ，３３ｂ，３３ｃ  球収容部
３７    回転軸
３７ａ  締結穴
３８    従動ギア
３９    外れ球案内流路
４６    モータ
４７    主動ギア
５２    軸受穴
６１    受入口
６２    軸受穴
６３    誘導部
６４ａ  第１排出流路
６４ｂ  第２排出流路
６６    底部
６８ａ，６８ｂ  側壁
７０    斜面
７５    回り止め部
７５ａ  カット部
７７    被覆部材
７８    ネジ
７８ａ  締結部
７８ｂ  頭部
７９    胴部
８０    覆部
８０ｂ  受圧部
８１    被嵌合部
８４    嵌合部
８５    発射球案内流路
８６    アウト口案内流路
８７    連通口
８８    第１案内流路
８９    第２案内流路
９０    第３案内流路
９１    バイパス流路
【図１】
2008161477.tif 000003
【図２】
2008161477.tif 000004
【図３】
2008161477.tif 000005
【図４】
2008161477.tif 000006
【図５】
2008161477.tif 000007
【図６】
2008161477.tif 000008
【図７】
2008161477.tif 000009
【図８】
2008161477.tif 000010
【図９】
2008161477.tif 000011
【図１０】
2008161477.tif 000012
【図１１】
2008161477.tif 000013
【図１２】
2008161477.tif 000014
【図１３】
2008161477.tif 000015
【図１４】
2008161477.tif 000016